(57)【要約】【課題】アバランシェフォトダイオード（ＡＰＤ）の増倍率とＡＰＤに加えるバイアス電圧の特性ばらつきに応じた調整を軽減して、受信する光信号の強度に応じてＡＰＤの増倍率を変化させることができるバースト光受信器を実現することを目的とする。【解決手段】光信号を光電流に変換するＡＰＤと、ＡＰＤの出力の強弱を判定するＡＰＤ出力強度判定部と、ＡＰＤとＡＰＤにバイアス電圧を加える電源とを接続するＡＰＤ電源接続線と、ＡＰＤ電源接続線と並列にＡＰＤと電源との間に接続された抵抗と、ＡＰＤ電源接続線および抵抗を有効化、無効化する経路切り替え器であって、ＡＰＤ出力強度判定部がＡＰＤの出力が強いと判定した場合にＡＰＤ電源接続線を無効にして前記抵抗を有効にする経路切り替え器とを備える。【選択図】          図１
2014107794.tif 000002
【特許請求の範囲】
【請求項１】
光信号を光電流に変換するアバランシェフォトダイオード（以下ＡＰＤと称す）と、
前記ＡＰＤの出力の強弱を判定するＡＰＤ出力強度判定部と、
前記ＡＰＤと前記ＡＰＤにバイアス電圧を加える電源とを接続するＡＰＤ電源接続線と、
前記ＡＰＤ電源接続線と並列に前記ＡＰＤと前記電源との間に接続された抵抗と、
前記ＡＰＤ電源接続線および前記抵抗を有効化、無効化する経路切り替え器であって、前記ＡＰＤ出力強度判定部が前記ＡＰＤの出力が所定の値よりも強いと判定した場合に前記ＡＰＤ電源接続線を無効にして前記抵抗を有効にする経路切り替え器と、
を備えるバースト光受信器。
【請求項２】
前記抵抗は前記ＡＰＤおよび前記電源と常時接続され、
前記経路切り替え器は前記ＡＰＤ出力強度判定部が前記ＡＰＤの出力が所定の値よりも弱いと判定した場合に、前記ＡＰＤ電源接続線と前記ＡＰＤあるいは前記電源との接続を有効にする、
請求項１に記載のバースト光受信器。
【請求項３】
前記ＡＰＤ出力強度判定部は、前記光電流を変換した電圧の振幅の大小により前記ＡＰＤの出力の強弱判定を行う請求項１または請求項２に記載のバースト光受信器。
【請求項４】
前記ＡＰＤ出力強度判定部は、前記電圧のピークを検出するピーク検波回路と、前記ピーク検波回路の出力と所定の電圧しきい値を比較するコンパレータとにより構成された請求項３に記載のバースト光受信器。
【請求項５】
前記ＡＰＤ出力強度判定部を前記ＡＰＤに前記光信号を入射する前に初期化する請求項１から請求項４のいずれか１項に記載のバースト光受信器。
【請求項６】
前記ＡＰＤと前記電源の間に前記抵抗と並列に接続され、前記経路切り替え器により前記抵抗と一緒に有効化、無効化される第２抵抗と、前記第２抵抗と接続され、前記ＡＰＤの周囲温度が所定の温度しきい値よりも高い場合に前記第２抵抗を無効化し、低い場合に前記第２抵抗を有効化する第２経路切り替え器とを備えた請求項１から請求項５のいずれか１項に記載のバースト光受信器。
【請求項７】
前記ＡＰＤと前記電源の間に前記抵抗と直列に接続され、前記経路切り替え器により前記抵抗と一緒に有効化、無効化される第２抵抗と、前記第２抵抗をバイパスするバイパス接続線と、前記バイパス接続線を前記周囲温度が所定の温度しきい値よりも高い場合に無効化し、低い場合に有効化する第２経路切り替え器とを備えた請求項１から請求項５のいずれか１項に記載のバースト光受信器。
【請求項８】
前記周囲温度を測定して、測定した温度が前記所定の温度しきい値よりも高いか低いかを判定する温度判定部を備えた、請求項６または請求項７に記載のバースト光受信器。
【発明の詳細な説明】
【技術分野】
【０００１】
この発明は、強度が異なるバースト状の光信号を受信するバースト光受信器に関するものであり、例えば光通信システムの一つであるPassive Optical Network（以下ＰＯＮと記す）システムの局社側に設置されるOptical Line Terminal（光加入者線終端装置、以下ＯＬＴと記す）などに使用される光信号受信器に関する。
【背景技術】
【０００２】
光通信システムなどにおいて、受信した光信号を電気信号に変換する素子としてアバランシェフォトダイオード(以下、ＡＰＤと記す)が使用されている。ＡＰＤは光信号を受光して、電流（光電流）を出力する。ＡＰＤは光電流を増倍する機能を有しており、弱い光信号が入射された際にＡＰＤの増倍率を高く設定することで高い受信感度を実現できる。一方、強い光信号が入射された際に増倍率を高く設定すると、過電流が流れてＡＰＤを破壊する可能性がある。
【０００３】
光通信システムの一つであるＰＯＮシステムでは、局社側に設置されるＯＬＴは複数の加入者宅内に設置されるOptical Network Unit（光加入者宅内装置、以下ＯＮＵと記す）により共有される。ＯＮＵからＯＬＴへの上り方向の信号伝送においては、複数のＯＮＵが送信する光信号は時分割多重され、バースト状の光信号となってＯＬＴに伝送される。ＯＮＵはＯＬＴから見て色々な位置に配置され、ＯＬＴとＯＮＵとの距離は個々のＯＮＵで異なるため、ＯＬＴの光信号受信器は強度の異なる光信号を受信する必要がある。
【０００４】
このＰＯＮシステムのＯＬＴのように、強度の異なる光信号を受信する必要がある場合、受信する光信号の強度に応じてＡＰＤの増倍率を変えることが望ましい。しかし、時分割多重されたバースト状の強度の異なる光信号を受信するためには、ナノ秒オーダの高速でＡＰＤの増倍率を変える必要がある。
【０００５】
高速にＡＰＤの増倍率を変更してバースト状の光信号を受信するバースト光受信器として、例えば、特許文献１に示されたバースト光受信装置がある。特許文献１のバースト光受信装置は、光信号を光電流に変換するＡＰＤ、発生した光電流を電圧に変換し増幅するプリアンプ、プリアンプの出力レベルを検出するレベル検出回路、プリアンプの出力を一定の出力に変換するリミッタアンプ、リミッタアンプの出力の誤り訂正と信号判定を行う誤り訂正信号判定回路、及びＡＰＤ増倍率制御回路で構成される。
【０００６】
ＡＰＤは入射された光信号を光電流に変換し、光電流はプリアンプに入力される。プリアンプでは電流を電圧に変換した後、その電圧を増幅して、リミッタアンプに出力電圧を送る。このプリアンプとリミッタアンプの間にレベル検出回路を有し、レベル検出回路の値を元にＡＰＤ増倍率制御回路において、ＡＰＤのバイアス電圧の切り替えを行う。
【０００７】
誤り訂正信号判定回路における誤り訂正の限界のビット誤り率を達成できる最小の光入力強度になる増倍率となるようにＡＰＤのバイアス電圧を調整できる構成としている。
【先行技術文献】
【特許文献】
【０００８】
【特許文献１】特開２００８-３０６２５０号公報（図１）
【発明の概要】
【発明が解決しようとする課題】
【０００９】
従来のバースト光受信器は上述のような構成となっていたが、ＡＰＤの増倍率とＡＰＤのバイアス電圧の特性はロットによって大きくばらつくため、ＡＰＤ増倍率制御回路が設定する電圧値をロットごとに調整する必要があり、バースト光受信器の製造において大きな手間がかかるという問題点があった。
【００１０】
この発明に係るバースト光受信器は、上記のような問題点を解決するためになされたものであり、受信する光信号に応じたＡＰＤ増倍率の変更において、ＡＰＤの増倍率とＡＰＤのバイアス電圧の特性ばらつきに依存した電圧値を適正化するための調整を軽減できるバースト光受信器を実現することを目的とする。
【課題を解決するための手段】
【００１１】
この発明によるバースト光受信器は、光信号を光電流に変換するＡＰＤと、ＡＰＤの出力の強弱を判定するＡＰＤ出力強度判定部と、ＡＰＤとＡＰＤにバイアス電圧を加える電源を接続するＡＰＤ電源接続線と、ＡＰＤ電源接続線と並列にＡＰＤと電源との間に接続された抵抗と、ＡＰＤ電源接続線および抵抗を有効化、無効化する経路切り替え器とを備えて、ＡＰＤ出力強度判定部がＡＰＤの出力が強いと判定した場合に経路切り替え器はＡＰＤ電源接続線を無効にし、抵抗を有効にするようにしたものである。
【発明の効果】
【００１２】
この発明によれば、受信する光信号に応じたＡＰＤ増倍率の変更において、ＡＰＤの増倍率とＡＰＤのバイアス電圧の特性ばらつきに依存した電圧値を適正化するための調整を軽減することが可能なバースト光受信器を得ることができる。
【図面の簡単な説明】
【００１３】
【図１】この発明の実施の形態１に係るバースト光受信器の構成図である。
【図２】図１に示すバースト光受信器のロジック回路が行う経路切り替え器制御の対応表である。
【図３】ＡＰＤのバイアス電圧と増倍率の関係を示すグラフである。
【図４】ＡＰＤに抵抗を直列に接続した場合と抵抗が無い場合の符号誤り率と受信光強度の関係の差異を示すグラフである。
【図５】この発明の実施の形態２に係るバースト光受信器の構成図である。
【図６】図５に示すバースト光受信器のロジック回路が行う経路切り替え制御の対応表である。
【図７】常温時と低温時におけるＡＰＤの光電流とＡＰＤのバイアス電圧の関係の差異を説明するグラフである。
【発明を実施するための形態】
【００１４】
以下、この発明の実施の形態を、図を参照して説明する。なお、以下の説明では、同一部または相当の部分には同一の符号を付している。
実施の形態１．
この発明の実施の形態１のバースト光受信器について説明する。図１はこの発明の実施の形態１に係るバースト光受信器の構成図である。図１において、バースト光受信器１００は、電気信号出力線１０２およびリセット信号線１０３でバースト光受信器１００が受信した信号を処理するホストボード１０４と接続され、また、電源２００と接続されている。次に、バースト光受信器１００の内部構成を説明する。
【００１５】
図１においてＡＰＤ１は光信号１０１を受信して光電流に変換する。ＡＰＤ１が出力する光電流はアンプ２に入力され、アンプ２は光電流を電圧に変換して出力する。アンプ２の出力はリミッタアンプ３に入力され、リミッタアンプ３はアンプ２の出力を一定振幅の信号に整形して、電気信号出力線１０２に出力する。
【００１６】
また、アンプ２の出力はＡＰＤ出力強度判定部４に入力され、ＡＰＤ出力強度判定部４はＡＰＤ１の出力が規定値以上であるか否かを判定する。リセット信号線１０３から入力されるリセット信号はＡＰＤ出力強度判定部４を初期化する。
【００１７】
ＡＰＤ出力強度判定部４は、例えば図１に示すようにピーク検波回路４ａとコンパレータ４ｂにより構成できる。あるいは、ＡＰＤ出力強度判定部４はアンプ２の出力としきい値電圧を比較し、しきい値電圧を超えた場合にこれを保持するようにするなど他の構成とすることも可能である。ここでは、図１に示すピーク検波回路４ａとコンパレータ４ｂによる構成に基づいて説明する。
【００１８】
ピーク検波回路４ａはアンプ２の出力のピーク値を検出して、ピーク値をコンパレータ４ｂに出力する。ピーク検波回路４ａは真のピーク値をリアルタイムに検出する必要はなく、例えばある刻み幅で離散的に検出するものや、あるいは、過去の履歴と平滑化して検出するものであっても良い。
【００１９】
コンパレータ４ｂはピーク検波回路４ａの出力と所定の電圧しきい値（Ｖｔｈ）を比較して、ＡＰＤ１の出力強度を判定し、判定結果を出力する。リセット信号線１０３からリセット信号が入力されるとピーク検波回路４ａが初期化され、コンパレータ４ｂへの出力はＶｔｈよりも低い初期値となる。
【００２０】
ＡＰＤ電源接続線５はＡＰＤ１と電源２００を接続する。経路切り替え器６はＡＰＤ電源接続線５によるＡＰＤ１と電源２００間の接続を有効化、無効化する。経路切り替え器６は例えばＭＯＳ（Metal Oxide Semiconductor）スイッチ等で構成することができる。抵抗７はＡＰＤ電源接続線５および経路切り替え器６と並列にＡＰＤ１と電源２００の間に挿入される。ここで、ＡＰＤ電源接続線５および経路切り替え器６がＡＰＤ１と電源２００を接続するとき、その抵抗値は抵抗７の抵抗値よりも極めて小さいものとする。ロジック回路８はＡＰＤ出力強度判定部４におけるＡＰＤ１の出力強度の判定結果に基づいて経路切り替え器６を制御する。
【００２１】
次にこの発明の実施の形態１のバースト光受信器の動作を説明する。
【００２２】
ホストボード１０４は、バースト状の光信号１０１の切れ目、あるいは動作速度の切り替え時などの外部よりバースト光受信器に光信号１０１が入力される前のタイミングでリセット信号線１０３にリセット信号を出力する。これにより光信号１０１の受信開始前にＡＰＤ出力強度判定部４内のピーク検波回路４ａが初期化される。
【００２３】
光信号１０１の受信を開始してＡＰＤ１に光信号１０１が入射されると、ＡＰＤ１は光信号１０１を光電流に変換して出力する。出力された光電流はアンプ２に入力され、アンプ２は入力された光電流を電圧に変換して出力する。アンプ２の出力する電圧はＡＰＤ出力強度判定部４内のピーク検波回路４ａでピーク値測定される。
【００２４】
ピーク検波回路４ａは光信号受信開始前に初期化されており、初期状態ではしきい値電圧Ｖｔｈよりも低い値を出力する。光信号１０１の受信開始後、ＡＰＤ出力強度判定部４内のコンパレータ４ｂは、ピーク検波回路４ａが出力するピーク値とＶｔｈを比較して、アンプ２からの出力電圧の振幅がＶｔｈ以下である(すなわちＡＰＤ１の出力が所定の値よりも小さい)場合に論理値０を出力し、アンプ２からの出力電圧の振幅がＶｔｈ以上となった(すなわちＡＰＤ１の出力が所定の値よりも大きい)場合に論理値１を出力する。
【００２５】
ロジック回路８はＡＰＤ出力強度判定部４の出力を基に経路切り替え器６を制御する。図２はロジック回路８が行う経路切り替え器６の制御の対応表である。ＡＰＤ出力強度判定部４の出力が論理値０である場合には経路切り替え器６をＯＮにし、ＡＰＤ出力強度判定部４の出力が論理値１である場合には経路切り替え器６をＯＦＦにする。
【００２６】
ロジック回路８による制御がＯＮの場合、経路切り替え器６はＡＰＤ１とＡＰＤ電源接続線５を接続し、ＡＰＤ１と電源２００はＡＰＤ電源接続線５と経路切り替え器６により接続される。このとき、ＡＰＤ電源接続線５および経路切り替え器６の抵抗値は、抵抗７の抵抗値に比べて極めて小さいため、抵抗７による接続は無効な状態となる。一方、ロジック回路８による制御がＯＦＦの場合には、経路切り替え器６はＡＰＤ１とＡＰＤ電源接続線５間を切断し、ＡＰＤ１と電源２００は抵抗７を介してのみ接続された状態となる。
【００２７】
図３はＡＰＤの特性について、バイアス電圧と増倍率の関係を示すグラフである。ＡＰＤはバイアス電圧が低下すると増倍率が低くなる。
【００２８】
図３のグラフを用いて、この発明の動作原理を説明する。この発明において、経路切り替え器６がＯＮの状態ではＡＰＤ１に電源２００の電圧（図３のグラフにおける電源電圧）が加えられる。これに対して、経路切り替え器６がＯＦＦの状態では、ＡＰＤ１と電源２００との間に抵抗７が接続された状態になるため、図３に示すように抵抗７を流れる電流により電圧降下が起こり、実際にＡＰＤ１にかかるバイアス電圧（図３のグラフにおけるＡＰＤ実効電圧）は、電源電圧よりも低い電圧となる。従って、ＡＰＤ１の増倍率を低下させることができる。
【００２９】
抵抗７による電圧降下量は光電流の大きさに依存し、光電流の値が大きいほど電圧降下量は大きくなるので、ＡＰＤ１の個体のばらつきに対応して増倍率を測定し、電圧設定値を調整する必要がない。
【００３０】
また、図４はＡＰＤの特性について、ＡＰＤと電源間に接続した抵抗がある場合と無い場合の、受信信号の符号誤り率と受信光強度の関係を示すグラフである。ＡＰＤと電源間に抵抗を接続するとＲＣ（抵抗コンデンサ）時定数が増加して、ＡＰＤ出力の光電流が高速に変化する場合に符号誤り率が上昇する（悪化する）場合がある。
【００３１】
しかし、実施の形態１に係るバースト光受信器では、ＡＰＤ１の出力が強い場合、すなわち、受信光強度が強い場合にのみ抵抗７をＡＰＤ１に直列に接続するように制御する。図４に示す通り受信光強度が強い領域では抵抗の有無による符号誤り率の差異は無くなっており、抵抗７をＡＰＤ１に直列に接続することによる符号誤り率の悪化を生じにくい。
【００３２】
以上のように、この発明の実施の形態１に係るバースト光受信器によれば、ＡＰＤの出力する光電流を電圧に変換するアンプの出力に対してＡＰＤ出力強度判定部を設けて、ＡＰＤ出力強度判定部においてアンプの出力が所定のしきい値以上か否かを判定し、所定のしきい値を超えた場合にはＡＰＤ出力が強いと判定してＡＰＤと電源の間に抵抗が接続されるようにしたことにより、ＡＰＤの特性のばらつきに対応する調整を軽減し、受信光の強度に合わせてＡＰＤの増倍率を変化できるバースト光受信器を得ることができる。
【００３３】
また、ＡＰＤ出力強度判定部を光信号入射前に初期化するようにしたことにより、一度ＡＰＤ出力を強いと判定した後も、次の光信号を入射する前にＡＰＤ出力強度判定部は初期化され、ＡＰＤは抵抗が接続されていない状態から受信処理を開始することができる。
【００３４】
なお、実施の形態１のバースト光受信器では、経路切り替え器がＡＰＤ電源接続線によるＡＰＤと電源の間の接続を有効化、無効化し、抵抗は常時接続される構成としているが、当然ながら、ＡＰＤ電源接続線による接続と、抵抗を介する接続を経路切り替え器により選択する構成とすること可能である。
実施の形態２．
この発明の実施の形態２のバースト光受信器について説明する。図５はこの発明の実施の形態２に係るバースト光受信器の構成図である。図１と同じ符号の部分は図１のバースト光受信器と同じもしくは相当する部分である。以下、バースト光受信器１１０の内部構成について図１との差分を中心に説明する。
【００３５】
バースト光受信器１１０では、第２抵抗９が抵抗７と並列になるようにＡＰＤ１と電源２００の間に接続される。第２経路切り替え器１０は第２抵抗９とＡＰＤ１を接続し、また、切断する。図５では、第２抵抗９とＡＰＤ１の間に第２経路切り替え器１０を設けていているが、当然ながら、第２抵抗９と電源２００との間に設けても良い。
【００３６】
温度判定部１１は周囲温度を測定して温度判定結果をロジック回路１２に設定する。温度判定部１１は、例えば温度センサ内蔵ＣＰＵ（Central Processing Unit）や、あるいは温度センサＩＣ（Integrated Circuit）などで構成することができる。ロジック回路１２はＡＰＤ出力強度判定部４の判定結果と、温度判定部１１の温度判定結果に基づいて、経路切り替え器６および第２経路切り替え器１０のＯＮ、ＯＦＦ制御を実施する。
【００３７】
次に動作について説明する。図１と同じ符号の部分に関しては実施の形態１のバースト光受信器と同様の動作をするので差分を中心に説明する。
【００３８】
温度判定部１１は周囲の温度を測定し、所定の温度しきい値以上である場合には論理値１、所定の温度しきい値以下である場合には論理値０となる温度判定結果をロジック回路１２に出力する。図６は温度判定部１１の出力する温度判定結果に応じてロジック回路１２が行う第２経路切り替え器１０の制御の対応表である。
【００３９】
温度判定部１１の出力が論理値１である場合には第２経路切り替え器１０をＯＦＦにし、一方、論理値０である場合には第２経路切り替え器１０をＯＮにする。第２経路切り替え器１０はＯＮの場合に第２抵抗９とＡＰＤ１とを接続し、ＯＦＦの場合に切り離す。
【００４０】
ＡＰＤ出力強度判定部４の出力が論理値０である場合には、経路切り替え器６がＯＮとなり、ＡＰＤ１と電源２００はＡＰＤ電源接続線５により接続される。一方、光信号強度判定部４の出力が論理値１である場合、温度判定部１１の出力が論理値１のときには抵抗７のみを介してＡＰＤ１と電源２００が接続される。また、ＡＰＤ出力強度判定部４の出力が論理値１で温度判定部１１の出力が論理値０である場合には、抵抗７および第２抵抗９を介してＡＰＤ１と電源２００が接続される。
【００４１】
抵抗７と第２抵抗９は並列接続であるので、ＡＰＤ１と電源２００の間の抵抗値は抵抗７と第２抵抗９の並列の合成抵抗となって抵抗値が低下し、この結果、電圧降下量が低減して実際にＡＰＤ１に加えられるバイアス電圧は１個の抵抗７を介して接続される場合よりも大きくなる。
【００４２】
図７はＡＰＤの特性について、常温時と低温時におけるＡＰＤのバイアス電圧と光電流の関係を示すグラフである。図７に示すように、低温時では常温時に比べてＡＰＤが正常動作する電圧の範囲は狭くなる。
【００４３】
このため、常温時と低温時で同じ抵抗値の抵抗をＡＰＤ１に直列に接続した場合、抵抗での電圧降下により実際にＡＰＤ１に加えられるバイアス電圧（図７のグラフのＡＰＤ実効電圧）は、常温時には正常動作範囲に収まる場合でも、低温時には正常動作範囲外になる可能性がある。
【００４４】
この発明の実施の形態２のバースト光受信器では、上述のように、低温時には第２抵抗９が抵抗７と並列となるようにＡＰＤ１と電源２００に接続されるため、常温時よりも低い抵抗値での電圧降下を起こすことが可能である。
【００４５】
以上のように、この発明の実施の形態２に係るバースト光受信器によれば、ＡＰＤの出力する光電流を電圧に変換するアンプの出力に対してＡＰＤ出力強度判定部を設けて、ＡＰＤ出力強度判定部においてアンプの出力が所定のしきい値以上か否かを判定し、所定のしきい値を超えた場合にはＡＰＤ出力が高いと判定してＡＰＤと電源の間に抵抗が接続されるようにしたことにより、ＡＰＤの特性のばらつきに対応する調整を軽減し、受信光の強度に合わせてＡＰＤの増倍率を変化できるバースト光受信器を得ることができる。
【００４６】
また、温度判定部を備えて、温度判定部が低温状態であると判定し、かつ、アンプの出力が所定のしきい値以上である場合には、常温時に使用する抵抗に加えて第２抵抗を常温時に使用する抵抗と並列にＡＰＤと電源の間に接続することにより、電圧降下を低減した低温時対応のＡＰＤの増倍率変更ができるバースト光受信器を得ることができる。
【００４７】
また、ＡＰＤ出力強度判定部を光信号入射前に初期化するようにしたことにより、一度ＡＰＤ出力を強いと判定した後も、次の光信号を入射する前にＡＰＤ出力強度判定部は初期化され、ＡＰＤは抵抗が接続されていない状態から受信処理を開始することができる。
【００４８】
なお、実施の形態２のバースト光受信器では、低温時用の第２抵抗を通常の抵抗と並列に同時に接続するようにしているが、通常の抵抗と第２抵抗を選択器により常温時と低温時で切り替えて使用する、あるいは２個の抵抗を直列に接続して、一方の抵抗には抵抗をバイパスするバイパス接続を設け、バイパス接続は低温時のみ有効にするなど他の接続形態で構成することも可能である。
【００４９】
また、実施の形態１および実施の形態２のバースト光受信器において、ＡＰＤ出力強度判定部は、アンプの出力の電圧の振幅によりＡＰＤ出力の強度を判定するように構成しているが、ＡＰＤが出力する光電流の電流量により判定するようにしても良い。あるいは、受信光を分光して別途光検出器を設けることにより間接的に判定する構成としても良い。
【符号の説明】
【００５０】
１  ＡＰＤ、２  アンプ、３  リミッタアンプ、４  ＡＰＤ出力強度判定部、４ａ  ピーク検波回路、４ｂ  コンパレータ、５  ＡＰＤ電源接続線、６  経路切り替え器、７  抵抗、８  ロジック回路、９  第２抵抗、１０  第２経路切り替え器、１１  温度判定部、１２  ロジック回路、１００  バースト光受信器、１０１  光信号、１０２  電気信号出力線、１０３  リセット信号線、１０４  ホストボード、１１０  バースト光受信器、２００  電源
【図１】
2014107794.tif 000003
【図２】
2014107794.tif 000004
【図３】
2014107794.tif 000005
【図４】
2014107794.tif 000006
【図５】
2014107794.tif 000007
【図６】
2014107794.tif 000008
【図７】
2014107794.tif 000009